(57)【特許請求の範囲】
【請求項１】
ユーザー端末に無線接続されるマットレスに用いられる運動記録方法であって、
マットレスに均一に分布された圧力センサーの圧力値に基づいて、ユーザーの前記マットレスにおける肝心な荷重点を確定することと、
前記肝心な荷重点にある圧力センサーの圧力値の変化に基づいて、ユーザーの前記マットレスにおける運動状態を確定することと、
前記運動状態が含まれている運動情報を前記ユーザー端末にリアルタイムに送信することと、
を含み、
全ての肝心な荷重点は、頭部荷重点、足部荷重点、臀部荷重点、腕荷重点である
ことを特徴とする運動記録方法。
【請求項２】
ユーザーの前記マットレスにおける肝心な荷重点を確定することは、
前記ユーザーが前記マットレスに仰臥する場合に、圧力センサーの圧力値に基づいて前記ユーザーの前記マットレスにおけるｎ個の肝心な荷重点を確定し、但し、ｎ≧２であることと、
前記ｎ個の肝心な荷重点に基づいて前記ユーザーの前記マットレスにおける全ての肝心な荷重点を確定することと、
を含むことを特徴とする請求項１に記載の運動記録方法。
【請求項３】
前記圧力センサーの圧力値に基づいてユーザーの前記マットレスにおけるｎ個の肝心な荷重点を確定することは、
ｎ＝２の場合に、前記マットレスの長手方向に最も離れた、且つ圧力センサーの圧力値がゼロでない二つの荷重点を確定し、そのうちの圧力センサーの圧力値が最も大きい荷重点を前記ユーザーの頭部荷重点と確定し、そのうちの圧力センサーの圧力値が最も小さい荷重点を前記ユーザーの足部荷重点と確定することと、
ｎ＝３の場合に、前記マットレスの長手方向に最も離れた、且つ圧力センサーの圧力値がゼロでない二つの荷重点を確定し、そのうちの圧力センサーの圧力値が最も大きい荷重点を前記ユーザーの頭部荷重点と確定し、そのうちの圧力センサーの圧力値が最も小さい荷重点を前記ユーザーの足部荷重点と確定し、前記マットレスの長手方向に圧力センサーの圧力値が最も大きい荷重点を前記臀部荷重点と確定することと、
ｎ＝５の場合に、前記マットレスの長手方向に最も離れた、且つ圧力センサーの圧力値がゼロでない二つの荷重点を確定し、そのうちの圧力センサーの圧力値が最も大きい荷重点を前記ユーザーの頭部荷重点と確定し、そのうちの圧力センサーの圧力値が最も小さい荷重点を前記ユーザーの足部荷重点と確定し、前記マットレスの長手方向に圧力センサーの圧力値が最も大きい荷重点を前記臀部荷重点と確定し、前記マットレスの幅方向に最も離れた、且つ圧力センサーの圧力値がゼロでない二つの荷重点を二つの手部荷重点と確定することと、
を含むことを特徴とする請求項２に記載の運動記録方法。
【請求項４】
ｎ＝２であり、且つ前記ｎ個の肝心な荷重点が頭部荷重点と足部荷重点である場合に、前記ｎ個の肝心な荷重点に基づいて前記ユーザーの前記マットレスにおける全ての肝心な荷重点を確定することは、
前記ユーザー端末に予め記憶されているユーザー情報に基づいて、前記ユーザーの股下比率を確定することと、
前記股下比率、前記頭部荷重点と前記足部荷重点の位置に基づいて、前記臀部荷重点を確定することと、
前記頭部荷重点から前記臀部荷重点までの両側の所定範囲を前記腕荷重点と確定することと、
前記頭部荷重点、前記腕荷重点、前記臀部荷重点と前記足部荷重点を前記ユーザーの前記マットレスにおける全ての肝心な荷重点と確定することと、
を含むことを特徴とする請求項３に記載の運動記録方法。
【請求項５】
ｎ＝３であり、且つ前記ｎ個の肝心な荷重点が頭部荷重点、足部荷重点と臀部荷重点である場合に、前記ｎ個の肝心な荷重点に基づいて前記ユーザーの前記マットレスにおける全ての肝心な荷重点を確定することは、
前記頭部荷重点から前記臀部荷重点までの両側の所定範囲を前記腕荷重点と確定することと、
前記頭部荷重点、前記腕荷重点、前記臀部荷重点と前記足部荷重点を前記ユーザーの前記マットレスにおける全ての肝心な荷重点と確定することと、
を含むことを特徴とする請求項３に記載の運動記録方法。
【請求項６】
ｎ＝５であり、且つ前記ｎ個の肝心な荷重点が頭部荷重点、足部荷重点、臀部荷重点と手部荷重点である場合に、前記ｎ個の肝心な荷重点に基づいて前記ユーザーの前記マットレスにおける全ての肝心な荷重点を確定することは、
二つの前記手部荷重点のそれぞれから前記頭部荷重点までの範囲を腕荷重点と確定することと、
前記頭部荷重点、前記腕荷重点、前記臀部荷重点と前記足部荷重点を前記ユーザーの前記マットレスにおける全ての肝心な荷重点と確定することと、
を含むことを特徴とする請求項３に記載の運動記録方法。
【請求項７】
前記肝心な荷重点にある圧力センサーの圧力値の変化に基づいて前記ユーザーの前記マットレスにおける運動状態を確定することは、
各肝心な荷重点にある圧力センサーの圧力値を周期的に測定することと、
各肝心な荷重点にある圧力変化規律を統計し、異なる運動状態と異なる圧力変化規律との対応関係が記憶されている予め決められた対応関係において、前記圧力変化規律に対応する運動状態を検索することと、
を含むことを特徴とする請求項１〜４のいずれかに記載の運動記録方法。
【請求項８】
前記運動状態が含まれている前記運動情報を前記ユーザー端末にリアルタイムに送信することは、
前記運動状態が含まれている運動情報をリアルタイムに生成し、前記運動情報を、前記運動状態に基づいて前記ユーザーの鍛錬部位を確定する前記ユーザー端末にリアルタイムに送信すること、
又は、
前記運動状態の運動回数を取得し、前記運動状態と運動回数が含まれる運動情報をリアルタイムに生成し、前記運動情報を、前記運動回数と一回の運動によるエネルギー消費量に基づいて前記ユーザーの前記マットレスにおける総エネルギー消費量を算出する前記ユーザー端末にリアルタイムに送信すること、
を含むことを特徴とする請求項１に記載の運動記録方法。
【請求項９】
ユーザー端末に無線接続されるマットレスに用いられる運動記録装置であって、
マットレスに均一に分布された圧力センサーの圧力値に基づいて、ユーザーの前記マットレスにおける肝心な荷重点を確定する荷重点確定モジュールと、
前記荷重点確定モジュールによって確定された前記肝心な荷重点にある圧力センサーの圧力値の変化に基づいて、前記ユーザーの前記マットレスにおける運動状態を確定する状態確定モジュールと、
前記状態確定モジュールによって確定された前記運動状態が含まれている運動情報を前記ユーザー端末にリアルタイムに送信する情報送信モジュールと、
を含み、
全ての肝心な荷重点は、頭部荷重点、足部荷重点、臀部荷重点、腕荷重点である
ことを特徴とする運動記録装置。
【請求項１０】
前記荷重点確定モジュールは、
前記ユーザーが前記マットレスに仰臥する場合に、圧力センサーの圧力値に基づいて前記ユーザーの前記マットレスにおけるｎ個（ｎ≧２）の肝心な荷重点を確定する第１確定サブモジュールと、
第１確定サブモジュールによって確定された前記ｎ個の肝心な荷重点に基づいて、前記ユーザーの前記マットレスにおける全ての荷重点を確定する第２確定サブモジュールと、
を含むことを特徴とする請求項９に記載の運動記録装置。
【請求項１１】
前記第１確定サブモジュールは、さらに、
ｎ＝２の場合に、前記マットレスの長手方向に最も離れた、且つ圧力センサーの圧力値がゼロでない二つの荷重点を確定し、そのうちの圧力センサーの圧力値が最も大きい荷重点を前記ユーザーの頭部荷重点と確定し、そのうちの圧力センサーの圧力値が最も小さい荷重点を前記ユーザーの足部荷重点と確定し、
ｎ＝３の場合に、前記マットレスの長手方向に最も離れた、且つ圧力センサーの圧力値がゼロでない二つの荷重点を確定し、そのうちの圧力センサーの圧力値が最も大きい荷重点を前記ユーザーの頭部荷重点と確定し、そのうちの圧力センサーの圧力値が最も小さい荷重点を前記ユーザーの足部荷重点と確定し、前記マットレスの長手方向に圧力センサーの圧力値が最も大きい荷重点を前記臀部荷重点と確定し、
ｎ＝５の場合に、前記マットレスの長手方向に最も離れた、且つ圧力センサーの圧力値がゼロでない二つの荷重点を確定し、そのうちの圧力センサーの圧力値が最も大きい荷重点を前記ユーザーの頭部荷重点と確定し、そのうちの圧力センサーの圧力値が最も小さい荷重点を前記ユーザーの足部荷重点と確定し、前記マットレスの長手方向に圧力センサーの圧力値が最も大きい荷重点を前記臀部荷重点と確定し、前記マットレスの幅方向に最も離れた、且つ圧力センサーの圧力値がゼロでない二つの荷重点を二つの手部荷重点と確定するように構成された
ことを特徴とする請求項１０に記載の運動記録装置。
【請求項１２】
ｎ＝２であり、且つ前記ｎ個の肝心な荷重点が頭部荷重点と足部荷重点である場合に、前記第２確定サブモジュールは、さらに、
前記ユーザー端末に予め記憶されているユーザー情報に基づいて、前記ユーザーの股下比率を確定し、
前記股下比率、前記頭部荷重点と前記足部荷重点の位置に基づいて、前記臀部荷重点を確定し、
前記頭部荷重点から前記臀部荷重点までの両側の所定範囲を前記腕荷重点と確定し、
前記頭部荷重点、前記腕荷重点、前記臀部荷重点と前記足部荷重点を前記ユーザーの前記マットレスにおける全ての肝心な荷重点と確定するように構成された
ことを特徴とする請求項１１に記載の運動記録装置。
【請求項１３】
ｎ＝３であり、且つ前記ｎ個の肝心な荷重点が頭部荷重点、足部荷重点と臀部荷重点である場合、前記第２確定サブモジュールは、さらに、
前記頭部荷重点から前記臀部荷重点までの両側の所定範囲を前記腕荷重点と確定し、
前記頭部荷重点、前記腕荷重点、前記臀部荷重点と前記足部荷重点を前記ユーザーの前記マットレスにおける全ての肝心な荷重点と確定する
ことを特徴とする請求項１１に記載の運動記録装置。
【請求項１４】
ｎ＝５であり、且つ前記ｎ個の肝心な荷重点が頭部荷重点、足部荷重点、臀部荷重点と手部荷重点である場合に、前記第２確定サブモジュールは、さらに、
二つの前記手部荷重点のそれぞれから前記頭部荷重点までの範囲を腕荷重点と確定し、
前記頭部荷重点、前記腕荷重点、前記臀部荷重点と前記足部荷重点を前記ユーザーの前記マットレスにおける全ての肝心な荷重点と確定する
ことを特徴とする請求項１１に記載の運動記録装置。
【請求項１５】
前記状態確定モジュールは、
各肝心な荷重点にある圧力センサーの圧力値を周期的に測定する圧力測定サブモジュールと、
各肝心な荷重点にある圧力変化規律を統計し、異なる運動状態と異なる圧力変化規律との対応関係が記憶されている予め決められた対応関係において、前記圧力変化規律に対応する運動状態を検索する状態確定サブモジュールと、
を含むことを特徴とする請求項９〜１４のいずれかに記載の運動記録装置。
【請求項１６】
前記情報送信モジュールは、
前記運動状態が含まれている運動情報をリアルタイムに生成し、前記運動情報を、前記運動状態に基づいて前記ユーザーの鍛錬部位を確定するための前記ユーザー端末にリアルタイムに送信する第１送信サブモジュール、
又は、
運動状態の運動回数を取得し、前記運動状態と運動回数が含まれる運動情報をリアルタイムに生成し、前記運動情報を、前記運動回数と一回の運動によるエネルギー消費量に基づいて前記ユーザーの前記マットレスにおける総エネルギー消費量を算出するための前記ユーザー端末にリアルタイムに送信する第２送信サブモジュール、
を含むことを特徴とする請求項９に記載の運動記録装置。
【請求項１７】
ユーザー端末に無線接続されるマットレスに用いられる運動記録装置であって、
プロセッサと、
プロセッサにより実行可能なコマンドを記憶するためのメモリーと、
を含み、
前記プロセッサは、
マットレスに均一に分布された圧力センサーの圧力値に基づいて、ユーザーの前記マットレスにおける肝心な荷重点を確定し、
前記肝心な荷重点にある圧力センサーの圧力値の変化に基づいて、前記ユーザーの前記マットレスにおける運動状態を確定し、
前記運動状態が含まれておる運動情報を前記ユーザー端末にリアルタイムに送信し、
全ての肝心な荷重点は、頭部荷重点、足部荷重点、臀部荷重点、腕荷重点である
ことを特徴とする運動記録装置。
【発明の詳細な説明】
【技術分野】
【０００１】
本願は出願番号が２０１５１０４６２８４５．７であり、出願日が２０１５年７月３１日である中国特許出願の中国特許出願に基づいて提出され、該中国特許出願の優先権を主張し、該中国特許出願の全ての内容はここで参考として本願に援用される。
【０００２】
本願はコンピュータ技術分野に関し、特に運動記録方法及び装置に関する。
【背景技術】
【０００３】
人が運動に熱心になることにより、例えばウエアラブルデバイス、端末などの電子機器によって提供される運動量の統計サービスがより多くの人に注目されている。運動時に、ユーザーが電子機器を携帯し、電子機器はユーザーの挙動を記録することによって、ユーザーの歩行歩数、歩行距離、消費カロリーなどを統計することができる。
【発明の概要】
【０００４】
本願は、かかる技術における問題を解決するために、運動記録方法及び装置を提供する。
【０００５】
本願の実施例の第１態様によれば、ユーザー端末に無線接続されるマットレスに用いられる運動記録方法であって、
マットレスに均一に分布された圧力センサーの圧力値に基づいて、ユーザーの前記マットレスにおける肝心な荷重点を確定することと、
前記肝心な荷重点にある圧力センサーの圧力値の変化に基づいて、ユーザーの前記マットレスにおける運動状態を確定することと、
前記運動状態が含まれている運動情報を前記ユーザー端末にリアルタイムに送信することと、
を含み、
全ての肝心な荷重点は、頭部荷重点、足部荷重点、臀部荷重点、腕荷重点である、センサー運動記録方法を提供している。
【０００６】
また、ユーザーの前記マットレスにおける肝心な荷重点を確定することは、
前記ユーザーが前記マットレスに仰臥する場合に、圧力センサーの圧力値に基づいて前記ユーザーの前記マットレスにおけるｎ個（ｎ≧２）の肝心な荷重点を確定することと、
前記ｎ個の肝心な荷重点に基づいて前記ユーザーの前記マットレスにおける全ての肝心な荷重点を確定することと、を含む。
【０００７】
また、圧力センサーの圧力値に基づいて前記ユーザーの前記マットレスにおけるｎ個の肝心な荷重点を確定することは、
ｎ＝２の場合に、前記マットレスの長手方向に最も離れた、且つ圧力センサーの圧力値がゼロでない二つの荷重点を確定し、そのうちの圧力センサーの圧力値が最も大きい荷重点を前記ユーザーの頭部荷重点と確定することと、そのうちの圧力センサーの圧力値が最も小さい荷重点を前記ユーザーの足部荷重点と確定することと、
ｎ＝３の場合に、前記マットレスの長手方向に最も離れた、且つ圧力センサーの圧力値がゼロでない二つの荷重点を確定し、そのうちの圧力センサーの圧力値が最も大きい荷重点を前記ユーザーの頭部荷重点と確定し、そのうちの圧力センサーの圧力値が最も小さい荷重点を前記ユーザーの足部荷重点と確定し、前記マットレスの長手方向に圧力センサーの圧力値が最も大きい荷重点を前記臀部荷重点と確定することと、
ｎ＝５の場合に、前記マットレスの長手方向に最も離れた、且つ圧力センサーの圧力値がゼロでない二つの荷重点を確定し、そのうちの圧力センサーの圧力値が最も大きい荷重点を前記ユーザーの頭部荷重点と確定し、そのうちの圧力センサーの圧力値が最も小さい荷重点を前記ユーザーの足部荷重点と確定し、前記マットレスの長手方向に圧力センサーの圧力値が最も大きい荷重点を前記臀部荷重点と確定し、前記マットレスの幅方向に最も離れた、且つ圧力センサーの圧力値がゼロでない二つの荷重点を二つの手部荷重点と確定することと、を含む。
【０００８】
また、ｎ＝２であり、且つ前記ｎ個の肝心な荷重点が頭部荷重点と足部荷重点である場合に、前記ｎ個の肝心な荷重点に基づいて前記ユーザーの前記マットレスにおける全ての肝心な荷重点を確定することは、
前記ユーザー端末に予め記憶されているユーザー情報に基づいて、前記ユーザーの股下比率を確定することと、
前記股下比率、前記頭部荷重点と前記足部荷重点の位置に基づいて、前記臀部荷重点を確定することと、
前記頭部荷重点から前記臀部荷重点までの両側の所定範囲を前記腕荷重点と確定することと、
前記頭部荷重点、前記腕荷重点、前記臀部荷重点と前記足部荷重点を前記ユーザーの前記マットレスにおける全ての肝心な荷重点と確定することと、を含む。
【０００９】
また、ｎ＝３であり、且つ前記ｎ個の肝心な荷重点が頭部荷重点、足部荷重点と臀部荷重点である場合に、前記ｎ個の肝心な荷重点に基づいて前記ユーザーの前記マットレスにおける全ての肝心な荷重点を確定することは、
前記頭部荷重点から前記臀部荷重点までの両側の所定範囲を前記腕荷重点と確定することと、  前記頭部荷重点、前記腕荷重点、前記臀部荷重点と前記足部荷重点を前記ユーザーの前記マットレスにおける全ての肝心な荷重点と確定することと、を含む。
【００１０】
また、ｎ＝５であり、且つ前記ｎ個の肝心な荷重点が頭部荷重点、足部荷重点と臀部荷重点である場合に、前記ｎ個の肝心な荷重点に基づいて前記ユーザーの前記マットレスにおける全ての肝心な荷重点を確定することは、
二つの前記手部荷重点のそれぞれから前記頭部荷重点までの範囲を腕荷重点と確定することと、
前記頭部荷重点、前記腕荷重点、前記臀部荷重点と前記足部荷重点を前記ユーザーの前記マットレスにおける全ての肝心な荷重点と確定することと、を含む。
【００１１】
また、前記肝心な荷重点にある圧力センサーの圧力値の変化に基づいて、ユーザーの前記マットレスにおける運動状態を確定することは、
各肝心な荷重点にある圧力センサーの圧力値を周期的に測定することと、
各肝心な荷重点にある圧力変化規律を統計し、異なる運動状態と異なる圧力変化規律との対応関係が記憶されている予め決められた対応関係において、前記圧力変化規律に対応する運動状態を検索することと、を含む。
【００１２】
また、前記運動状態が含まれている前記運動情報を前記ユーザー端末にリアルタイムに送信することは、
前記運動状態が含まれている運動情報をリアルタイムに生成し、前記運動情報を、前記運動状態に基づいて前記ユーザーの鍛錬部位を確定する前記ユーザー端末にリアルタイムに送信すること、又は、
前記運動状態の運動回数を取得し、前記運動状態と運動回数が含まれる運動情報をリアルタイムに生成し、前記運動情報を、前記運動回数と一回の運動によるエネルギー消費量に基づいて前記ユーザーの前記マットレスにおける総エネルギー消費量を算出するための前記ユーザー端末にリアルタイムに送信すること、を含む。
【００１３】
本願の実施例の第２態様によれば、ユーザー端末に無線接続されるマットレスに用いられる運動記録装置であって、
マットレスに均一に分布された圧力センサーの圧力値に基づいて、ユーザーの前記マットレスにおける肝心な荷重点を確定する荷重点確定モジュールと、
前記荷重点確定モジュールによって確定された前記肝心な荷重点にある圧力センサーの圧力値の変化に基づいて、前記ユーザーの前記マットレスにおける運動状態を確定する状態確定モジュールと、
前記状態確定モジュールによって確定された前記運動状態が含まれる運動情報を前記ユーザー端末にリアルタイムに送信する情報送信モジュールと、
を含み、
全ての肝心な荷重点は、頭部荷重点、足部荷重点、臀部荷重点、腕荷重点である、センサー運動記録装置を提供している。
【００１４】
また、前記荷重点確定モジュールは、
前記ユーザーが前記マットレスに仰臥する場合、圧力センサーの圧力値に基づいて前記ユーザーの前記マットレスにおけるｎ個（ｎ≧２）の肝心な荷重点を確定する第１確定サブモジュールと、
第１確定サブモジュールによって確定された前記ｎ個の肝心な荷重点に基づいて、前記ユーザーの前記マットレスにおける全ての荷重点を確定する第２確定サブモジュールと、を含む。
【００１５】
また、第１確定サブモジュールは、さらに、
ｎ＝２の場合に、前記マットレスの長手方向に最も離れた、且つ圧力センサーの圧力値がゼロでない二つの荷重点を確定し、そのうちの圧力センサーの圧力値が最も大きい荷重点を前記ユーザーの頭部荷重点と確定し、そのうちの圧力センサーの圧力値が最も小さい荷重点を前記ユーザーの足部荷重点と確定し、
ｎ＝３の場合に、前記マットレスの長手方向に最も離れた、且つ圧力センサーの圧力値がゼロでない二つの荷重点を確定し、そのうちの圧力センサーの圧力値が最も大きい荷重点を前記ユーザーの頭部荷重点と確定し、そのうちの圧力センサーの圧力値が最も小さい荷重点を前記ユーザーの足部荷重点と確定し、前記マットレスの長手方向に圧力センサーの圧力値が最も大きい荷重点を前記臀部荷重点と確定し、
ｎ＝５の場合に、前記マットレスの長手方向に最も離れた、且つ圧力センサーの圧力値がゼロでない二つの荷重点を確定し、そのうちの圧力センサーの圧力値が最も大きい荷重点を前記ユーザーの頭部荷重点と確定し、そのうちの圧力センサーの圧力値が最も小さい荷重点を前記ユーザーの足部荷重点と確定し、前記マットレスの長手方向に圧力センサーの圧力値が最も大きい荷重点を前記臀部荷重点と確定し、前記マットレスの幅方向に最も離れた、且つ圧力センサーの圧力値がゼロでない二つの荷重点を二つの手部荷重点と確定するように構成された。
【００１６】
また、ｎ＝２であり、且つ前記ｎ個の肝心な荷重点が頭部荷重点と足部荷重点である場合に、前記第２確定サブモジュールは、さらに、
前記ユーザー端末に予め記憶されているユーザー情報に基づいて、前記ユーザーの股下比率を確定し、
前記股下比率、前記頭部荷重点と前記足部荷重点の位置に基づいて、前記臀部荷重点を確定し、
前記頭部荷重点から前記臀部荷重点までの両側の所定範囲を前記腕荷重点と確定し、
前記頭部荷重点、前記腕荷重点、前記臀部荷重点と前記足部荷重点を前記ユーザーの前記マットレスにおける全ての肝心な荷重点と確定するように構成された。
【００１７】
また、ｎ＝３であり、且つ前記ｎ個の肝心な荷重点が頭部荷重点、足部荷重点と臀部荷重点である場合に、前記第２確定サブモジュールは、さらに、
前記頭部荷重点から前記臀部荷重点までの両側の所定範囲を前記腕荷重点と確定し、
前記頭部荷重点、前記腕荷重点、前記臀部荷重点と前記足部荷重点を前記ユーザーの前記マットレスにおける全ての肝心な荷重点と確定するように構成された。
【００１８】
また、ｎ＝５であり、且つ前記ｎ個の肝心な荷重点が頭部荷重点、足部荷重点、臀部荷重点と手部荷重点である場合に、前記第２確定サブモジュールは、さらに、
二つの前記手部荷重点のそれぞれから前記頭部荷重点までの範囲を腕荷重点と確定し、
前記頭部荷重点、前記腕荷重点、前記臀部荷重点と前記足部荷重点を前記ユーザーの前記マットレスにおける全ての肝心な荷重点と確定するように構成された。
【００１９】
また、前記状態確定モジュールは、
各肝心な荷重点にある圧力センサーの圧力値を周期的に測定する圧力測定サブモジュールと、
各肝心な荷重点にある圧力変化規律を統計し、異なる運動状態と異なる圧力変化規律との対応関係が記憶されている予め決められた対応関係において、前記圧力変化規律に対応する運動状態を検索する状態確定サブモジュールと、を含む。
【００２０】
また、前記情報送信モジュールは、
前記運動状態が含まれる運動情報をリアルタイムに生成し、前記運動情報を、前記運動状態に基づいて前記ユーザーの鍛錬部位を確定するための前記ユーザー端末にリアルタイムに送信する第１送信サブモジュール、又は、
運動状態の運動回数を取得し、前記運動状態と運動回数が含まれる運動情報をリアルタイムに生成し、前記運動情報を前記運動回数と一回の運動によるエネルギー消費量に基づいて前記ユーザーの前記マットレスにおける総エネルギー消費量を算出するための前記ユーザー端末にリアルタイムに送信するように構成された第２送信サブモジュール、を含む。
【００２１】
本願の実施例の第３態様によれば、ユーザー端末に無線接続されるマットレスに用いられる運動記録装置であって、
プロセッサと、
プロセッサにより実行可能なコマンドを記憶するためのメモリーと、
を含み、
前記プロセッサは、
マットレスに均一に分布された圧力センサーの圧力値に基づいて、ユーザーの前記マットレスにおける肝心な荷重点を確定し、
前記肝心な荷重点にある圧力センサーの圧力値の変化に基づいて、前記ユーザーの前記マットレスにおける運動状態を確定し、
前記運動状態が含まれる運動情報を前記ユーザー端末にリアルタイムに送信し、
全ての肝心な荷重点は、頭部荷重点、足部荷重点、臀部荷重点、腕荷重点である。
【発明の効果】
【００２２】
本願の実施例により提供される技術的解決手段は以下の好適な効果を含むことができる。
【００２３】
マットレスにおけるユーザーの肝心な荷重点を確定することと、肝心な荷重点にある圧力センサーの圧力値の変化に基づいて、マットレスにおけるユーザーの運動状態を確定することと、運動状態が含まれておる運動情報をユーザー端末にリアルタイムに送信することにより、ユーザーのマットレスにおける運動をユーザー端末にリアルタイムに送信することができ、ユーザー端末によってユーザーの運動を記録し、電子機器が歩行以外の運動記録を提供できないという問題を解決し、ユーザーの運動形式の多様化を実現する効果を達成している。
【００２４】
理解すべきことは、以上の一般的な説明と後の詳細な説明は例示的なものに過ぎず、本願を限定するものではない。
【図面の簡単な説明】
【００２５】
ここでの図面は明細書に併入され本明細書の一部を構成し、本願に適合する実施例を示し、明細書と共に本願の原理を解釈するのに用いられる。
【図１】一例示的な実施例により示された運動記録方法のフローチャートである。
【図２Ａ】別の一例示的な実施例により示された運動記録方法のフローチャートである。
【図２Ｂ】別の一例示的な実施例により示された腹筋運動の模式図である。
【図２Ｃ】別の一例示的な実施例により示された仰臥足上げの模式図である。
【図２Ｄ】別の一例示的な実施例により示された側臥肘立ての模式図である。
【図３】一例示的な実施例により示された運動記録装置のブロック図である。
【図４】一例示的な実施例により示された運動記録装置のブロック図である。
【発明を実施するための形態】
【００２６】
ここで例示的な実施例について詳しく説明し、その実例は図面に示す通りである。下記の説明が図面に関わる時、別途に表示されない限り、異なる図面における同じ数字は同じ又は類似する要素を示す。以下の例示的な実施例に説明される実施形態は本発明と一致する全ての実施形態を代表するわけではない。逆に、それらは添付の特許請求の範囲に詳細に記載された本発明の一部の態様と一致する装置と方法の例に過ぎない。
【００２７】
図１は一例示的な実施例により示された運動記録方法のフローチャートであり、該運動記録方法は圧力センサーが均一に分布され、ユーザー端末に無線接続されるマットレスに用いられ、図１に示すように、該運動記録方法は、
ユーザーのマットレスにおける肝心な荷重点を確定するステップ１０１と、
肝心な荷重点にある圧力センサーの圧力値の変化に基づいて、ユーザーの上記マットレスにおける運動状態を確定するステップ１０２と、
運動状態が含まれている運動情報をユーザー端末にリアルタイムに送信するステップ１０３と、を含む。
【００２８】
要するに、本願により提供された運動記録方法は、ユーザーのマットレスにおける肝心な荷重点を確定することと、肝心な荷重点にある圧力センサーの圧力値の変化に基づいて、マットレスにおけるユーザーの運動状態を確定することと、運動状態が含まれている運動情報をユーザー端末にリアルタイムに送信することにより、ユーザーのマットレスにおける運動をユーザー端末にリアルタイムに送信することができ、ユーザー端末によってユーザーの運動を記録でき、電子機器が歩行以外の運動に対する記録を提供できないという問題を解決し、ユーザーの運動形式を多様化にさせる効果を達成している。
【００２９】
図２Ａは別の一例示的な実施例により示された運動記録方法のフローチャートであり、該運動記録方法は圧力センサーが均一に分布され、ユーザー端末に無線接続されるマットレスに用いられ、図２Ａに示すように、該運動記録方法が以下のステップを含む。
【００３０】
ステップ２０１において、ユーザーのマットレスにおける肝心な荷重点を確定する。
【００３１】
肝心な荷重点とは、マットレスにおいてユーザーが運動する場合に、ユーザー身体の各部位とマットレスとの接触点である。例えば、肝心な荷重点は頭部荷重点、足部荷重点、臀部荷重点と腕荷重点のうちの少なくとも一つを含むことができる、
【００３２】
マットレスをトリガーして肝心な荷重点を確定する場合に、第１実施態様は、マットレスにトリガーボタンを設置し、ユーザーが該トリガーボタンを押せば、マットレスをトリガーして肝心な荷重点を確定することである。第２実施態様は、ユーザー端末にトリガーボタンを設置し、ユーザーが該トリガーボタンを押せば、ユーザー端末がマットレスにトリガー信号を送信し、マットレスが該トリガー信号のトリガーに基づき肝心な荷重点を確定することである。第３実施態様は、ユーザーがマットレスに仰臥した後、圧力センサーの圧力値に基づいてユーザーが一定時間にわたって動いていないか否かを検知し、ユーザーが一定時間にわたって動いていない場合、マットレスをトリガーして肝心な荷重点を確定することである。
【００３３】
異なる運動は異なる肝心な荷重点に対応するため、マットレスがその支持した運動に基づいて肝心な荷重点を確定することができる。例えば、運動が腹筋運動である場合、肝心な荷重点が頭部荷重点と足部荷重点であり、この場合、マットレスが該二つの肝心な荷重点のみを確定する必要がある。運動が側臥肘立てである場合、肝心な荷重点が腕荷重点と足部荷重点であり、この場合、マットレスが該二つの肝心な荷重点のみを確定する必要がある。
【００３４】
肝心な荷重点が多ければ多いほど、マットレスが運動状態に対する確定がより正確になり、そのため、本実施例において、運動の種類に関わらず、該運動が全ての肝心な荷重点に対応するか否かにも関わらず、マットレスが全ての肝心な荷重点を確定することができ、さらに、全ての肝心な荷重点に基づいて運動状態を確定する。そのうち、全ての肝心な荷重点が頭部荷重点、足部荷重点、臀部荷重点と腕荷重点である。
【００３５】
本実施例において、マットレスは、圧力センサーの圧力値に基づいて全ての肝心な荷重点を確定することができ、圧力センサーの圧力値に基づいて一部の肝心な荷重点を先に確定することもでき、さらに、一部の肝心な荷重点に基づいて全ての肝心な荷重点を確定することができる。この場合、ユーザーのマットレスにおける肝心な荷重点を確定することは、ユーザーがマットレスに仰臥する場合、圧力センサーの圧力値に基づいて、ユーザーのマットレスにおけるｎ個（ｎ≧２）の肝心な荷重点を確定することと、ｎ個の肝心な荷重点に基づいてユーザーのマットレスにおける全ての肝心な荷重点を確定することと、を含むことができる。
【００３６】
本実施例は、ｎ＝２、ｎ＝３又はｎ＝５の場合に、ｎ個の肝心な荷重点と全ての肝心な荷重点の確定過程を提供し、確定過程が以下のとおりであり、
１）ｎ＝２の場に合、マットレスの長手方向に最も離れた、且つ圧力センサーの圧力値がゼロでない二つの荷重点を確定し、そのうちの圧力センサーの圧力値が最も大きい荷重点をユーザーの頭部荷重点と確定し、そのうちの圧力センサーの圧力値が最も小さい荷重点をユーザーの足部荷重点と確定する。
【００３７】
頭部が人体の最上部に位置し、足部が人体の最下部に位置するため、ユーザーがマットレスに仰臥する場合に、マットレスの長手方向に最も離れた、且つ圧力センサーの圧力値がゼロでない二つの荷重点を頭部荷重点と足部荷重点と確定する。そして、ユーザーがマットレスに仰臥する場合、頭部の圧力が足部の圧力より大きく、そのため、マットレスが上記二つの荷重点の圧力値を比較することができ、圧力値が最も大きい荷重点を頭部荷重点と確定し、圧力値が最も小さい荷重点を足部荷重点と確定する。
【００３８】
頭部荷重点と足部荷重点を確定した後、ｎ個の肝心な荷重点に基づいて、マットレスにおけるユーザーの全ての肝心な荷重点を確定することは、
ユーザー端末に予め記憶されているユーザー情報に基づいて、ユーザーの股下比率を確定することと、
股下比率と、頭部荷重点と足部荷重点の位置に基づいて、臀部荷重点を確定することと、
頭部荷重点から上記臀部荷重点までの両側の所定範囲を腕荷重範囲と確定することと、
頭部荷重点、腕荷重点、臀部荷重点と足部荷重点をマットレスにおけるユーザーの全ての肝心な荷重点と確定することと、を含む。
【００３９】
ユーザーは、例えばユーザーの性別、身長、体重、足の長さ、股下比率などの自身のユーザー情報をユーザー端末に予め入力することができ、ユーザー端末がユーザー情報をマットレスに送信し、マットレスが頭部荷重点と足部荷重点を確定した後、且つユーザーの足の長さ又は会陰部の高さ／身長×１００に等しく、アジア男性の平均値が４５．７０で、アジア女性の平均値がで、欧米男性の平均値が４７．６８で、欧米女性の平均値が４７．３４である股下比率に基づいて臀部荷重点を確定する。
【００４０】
例えば、ユーザーの頭部荷重点と足部荷重点との距離が１．６メートルであり、且つユーザーの足の長さが０．７メートルであり、長手方向に臀部荷重点との距離が０．７メートルである荷重点が臀部荷重点であると確定する。さらに、例えば、ユーザーの頭部荷重点と足部荷重点との距離が１．６メートルであり、且つユーザーの股下比率が４４．９０であり、身長及び股下比率に基づいてユーザーの足の長さ＝４４．９／１００×１．６＝０．７メートルであることを算出し、長手方向に臀部荷重点との距離が０．７メートルである荷重点が臀部荷重点であると確定する。
【００４１】
腕がユーザー上半身の両側に位置するため、頭部荷重点と臀部荷重点を確定した後、マットレスが頭部荷重点から臀部荷重点までの両側の、ユーザーの腕の長さより長いまたは等しい所定範囲が腕荷重範囲であると確定することができる。例えば、所定範囲が１メートルであれば、頭部荷重点から臀部荷重点までの両側各１メートルである範囲が腕荷重範囲であると確定する。
【００４２】
２）ｎ＝３の場合に、マットレスの長手方向に最も離れた、且つ圧力センサーの圧力値がゼロでない二つの荷重点を確定し、そのうちの圧力センサーの圧力値が最も大きい荷重点をユーザーの頭部荷重点と確定し、そのうちの圧力センサーの圧力値が最も小さい荷重点をユーザーの足部荷重点と確定し、マットレスの長手方向に圧力センサーの圧力値が最も大きい荷重点を臀部荷重点と確定する。
【００４３】
ユーザーがマットレスに仰臥する場合、臀部の圧力が最も大きいため、さらにマットレスが長手方向に圧力値が最も大きい荷重点を臀部荷重点と確定する。また、マットレスにおいて、頭部荷重点と足部荷重点の確定方法が１）のように示し、ここでその詳細な説明を省略する。
【００４４】
頭部荷重点、臀部荷重点と足部荷重点を確定した後、ｎ個の肝心な荷重点に基づいて、ユーザーのマットレスにおける全ての肝心な荷重点を確定することは、
頭部荷重点から上記臀部荷重点までの両側の所定範囲を腕荷重範囲と確定することと、
頭部荷重点、腕荷重点、臀部荷重点と足部荷重点をユーザーのマットレスにおける全ての肝心な荷重点と確定することと、を含む。
【００４５】
そのうち、マットレスにおいて、腕荷重点の確定方法が１）のように示し、ここでその詳細な説明を省略する。
【００４６】
３）ｎ＝５の場合、マットレスの長手方向に最も離れた、且つ圧力センサーの圧力値がゼロでない二つの荷重点を確定し、そのうちの圧力センサーの圧力値が最も大きい荷重点をユーザーの頭部荷重点と確定し、そのうちの圧力センサーの圧力値が最も小さい荷重点をユーザーの足部荷重点と確定し、マットレスの長手方向に圧力センサーの圧力値が最も大きい荷重点を臀部荷重点と確定し、マットレスの幅方向に最も離れた、且つ圧力センサーの圧力値がゼロでない二つの荷重点を二つの手部荷重点と確定する。
【００４７】
マットレスの幅方向に確定された二つの手部荷重点の圧力値が同じである。また、マットレスにおいて、頭部荷重点、臀部荷重点と足部荷重点の確定方法が１）のように示し、ここでその詳細な説明を省略する。
【００４８】
頭部荷重点、臀部荷重点、足部荷重点と手部荷重点を確定した後、ｎ個の肝心な荷重点に基づいてマットレスにおける上記ユーザーの全ての肝心な荷重点を確定することは、
それぞれ二つの手部荷重点から頭部荷重点までの範囲を腕荷重点と確定することと、
頭部荷重点、腕荷重点、臀部荷重点と足部荷重点をマットレスにおけるユーザーの全ての肝心な荷重点と確定することと、を含む。
【００４９】
マットレスが頭部荷重点と各手部荷重点間の範囲を一つの腕荷重点と確定することができる。
【００５０】
ステップ２０２において、各肝心な荷重点にある圧力センサーの圧力値を周期的に測定する。
【００５１】
ステップ２０３において、各肝心な荷重点にある圧力変化規律を統計し、異なる運動状態と異なる圧力変化規律との対応関係が記憶されている予め決められた対応関係において、圧力変化規律に対応する運動状態を検索する。
【００５２】
予め決められた対応関係は運動状態と圧力変化規律との対応関係を記憶している。以下は複数種類の一般的な運動状態の圧力変化規律を分析する。
【００５３】
運動状態は腹筋運動である場合、図２Ｂに示すような腹筋運動の模式図を参考して、ユーザーが仰臥状態１である場合、頭部荷重点、臀部荷重点と足部荷重点の圧力値が変化せず、腕荷重点の圧力値がゼロである。ユーザーが座る状態２である場合、足部荷重点の圧力値が変化せず、臀部荷重点の圧力値が大きくなり、腕荷重点と頭部荷重点の圧力値がゼロであり、マットレスは上記圧力変化規律と腹筋運動を予め決められた対応関係に関連付けて記憶する。
【００５４】
運動状態は仰臥足上げ状態である場合、図２Ｃに示すような仰臥足上げの模式図を参考して、ユーザーが仰臥する状態１である場合、腕荷重点、頭部荷重点、臀部荷重点の圧力値が変化せず、足部荷重点の圧力値がゼロである。ユーザーが脚を上に上げた状態２である場合、腕荷重点、頭部荷重点の圧力値が変化せず、臀部荷重点と足部荷重点の圧力値がゼロであり、マットレスは上記圧力変化規律と仰臥足上げることを予め決められた対応関係に関連付けて記憶する。
【００５５】
運動状態は側臥肘立てである場合、図２Ｄに示すような側臥肘立ての模式図を参考して、ユーザーが伏臥する状態１である場合、腕荷重点と足部荷重点の圧力値が変化せず、頭部荷重点と臀部荷重点の圧力値がゼロである。ユーザーが肘立て状態２である場合、腕荷重点と足部荷重点の圧力値が大きくなり、頭部荷重点と臀部荷重点の圧力値がゼロであり、マットレスは上記圧力変化規律と側臥肘立てを予め決められた対応関係に関連付けて記憶する。
【００５６】
ステップ２０４において、運動状態が含まれる運動情報をユーザー端末にリアルタイムに送信する。
【００５７】
本実施例において、マットレスにディスプレイが含まれる場合、運動情報をマットレスのディスプレイ内にさらに表示し、ユーザーが表示内容に基づいて自身の運動状況を把握することができる。マットレスにディスプレイが含まれない場合、マットレスは運動状態が含まれる運動情報をユーザー端末にリアルタイムに送信することができ、ユーザーが自身の運動情報を見ることができる。
【００５８】
本実施例は二種類の送信手段を提供し、以下、このような二種類の送信手段をそれぞれ説明する。
【００５９】
第１送信手段において、運動状態が含まれる運動情報をリアルタイムに生成し、運動情報を運動状態に基づいてユーザーの鍛錬部位を確定するためのユーザー端末にリアルタイムに送信する。
【００６０】
そのうち、ユーザー端末に運動状態と鍛錬部位との対応関係が予め記憶され、マットレスにより送信された運動状態を受信した後、該対応関係において、対応する鍛錬部位を検索し、ユーザーに該鍛錬部位を提供する。例えば、腹筋運動に対応する鍛錬部位が腹部であり、側臥肘立てに対応する鍛錬部位が胸部などである。
【００６１】
第２送信手段において、運動状態の運動回数を取得し、運動状態と運動回数が含まれる運動情報をリアルタイムに生成し、運動情報を運動回数と一回の運動によるエネルギー消費量に基づいてマットレスにおけるユーザーの総エネルギー消費量を算出するためのユーザー端末にリアルタイムに送信する。
【００６２】
マットレスはさらに圧力変化規律に基づいて運動回数を確定し、運動状態と運動回数が含まれる運動情報をユーザー端末に送信し、ユーザー端末が運動状態に基づいて一回の運動による消費カロリーを検索し、さらに運動回数に一回の運動による消費カロリーを乗算して、ユーザー運動による総消費カロリーを取得する。
【００６３】
当然、ユーザー情報に基づいて鍛錬部位とカロリーを確定する以外、ユーザー端末がさらに運動情報に基づいて別の算出を行い、本実施例は運動情報の用途を限定しない。
【００６４】
要するに、本願により提供された運動記録方法は、ユーザーのマットレスにおける肝心な荷重点を確定することと、肝心な荷重点にある圧力センサーの圧力値の変化に基づいて、マットレスにおけるユーザーの運動状態を確定することと、運動状態が含まれる運動情報をユーザー端末にリアルタイムに送信することにより、ユーザーのマットレスにおける運動をユーザー端末にリアルタイムに送信することができ、ユーザー端末によってユーザーの行った運動を記録でき、電子機器が歩行以外の運動記録を提供できないという問題を解決し、ユーザーの運動手段を多様化にさせる効果を達成している。
【００６５】
また、ユーザーの股下比率、頭部荷重点と足部足荷重点の位置に基づいて臀部荷重点を確定し、ユーザー自身の股下比率に基づいて該ユーザーの臀部荷重点の位置を確定することができ、これにより、肝心な荷重点を確定する正確性を向上させる。
【００６６】
また、運動状態が含まれる運動情報をユーザー端末にリアルタイムに送信することにより、ユーザー端末が該運動情報に基づいてユーザーの鍛錬部位をマークし、エネルギー消費量などを算出することができ、これにより、ユーザーにより全面的な運動記録を提供する。
【００６７】
図３は一例示的な実施例により示された運動記録装置のブロック図であり、該運動記録装置は圧力センサーが均一に分布され、ユーザー端末に無線接続されるマットレスに用いられ、図３に示すように、該運動記録装置が荷重点確定モジュール３１０、状態確定モジュール３２０と情報送信モジュール３３０とを含む。
【００６８】
該荷重点確定モジュール３１０は、ユーザーのマットレスにおける肝心な荷重点を確定するように構成される。
【００６９】
該状態確定モジュール３２０は、荷重点確定モジュール３１０によって確定された上記肝心な荷重点にある圧力センサーの圧力値の変化に基づいて、マットレスにおけるユーザーの運動状態を確定するように構成される。
【００７０】
該情報送信モジュール３３０は、状態確定モジュール３２０によって確定された運動状態が含まれている運動情報をユーザー端末にリアルタイムに送信する。
【００７１】
要するに、本願により提供された運動記録装置は、ユーザーのマットレスにおける肝心な荷重点を確定することと、肝心な荷重点にある圧力センサーの圧力値の変化に基づいて、マットレスにおけるユーザーの運動状態を確定することと、運動状態が含まれる運動情報をユーザー端末にリアルタイムに送信することにより、マットレスにおけるユーザーの行った運動をユーザー端末にリアルタイムに送信することができ、ユーザー端末によってユーザーの運動を記録でき、電子機器が歩行以外の運動記録を提供できないという問題を解決し、ユーザーの運動手段を豊富にする効果を達成している。
【００７２】
図４は一例示的な実施例により示された運動記録装置のブロック図であり、該運動記録装置は圧力センサーが均一に分布され、ユーザー端末に無線接続されるマットレスに用いられ、図４に示すように、該運動記録装置が荷重点確定モジュール４１０、状態確定モジュール４２０と情報送信モジュール４３０とを含む。
【００７３】
該荷重点確定モジュール４１０は、マットレスにおけるユーザーの肝心な荷重点を確定するように構成される。
【００７４】
該状態確定モジュール４２０は、荷重点確定モジュール４１０によって確定された肝心な荷重点にある圧力センサーの圧力値の変化に基づいて、マットレスにおけるユーザーの運動状態を確定するように構成される。
【００７５】
該情報送信モジュール４３０は、状態確定モジュール４２０によって確定された運動状態が含まれる運動情報をユーザー端末にリアルタイムに送信するのに用いられる。
【００７６】
また、荷重点確定モジュール４１０は第１確定サブモジュール４１１と第２確定サブモジュール４１２を含む。
【００７７】
該第１確定サブモジュール４１１はユーザーがマットレスに仰臥する場合、圧力センサーの圧力値に基づいてマットレスにおけるユーザーのｎ個（ｎ≧２）の肝心な荷重点を確定するように構成される。
【００７８】
該第２確定サブモジュール４１２は第１確定サブモジュール４１１によって確定されたｎ個の肝心な荷重点に基づいて、マットレスにおける上記ユーザーの全ての荷重点を確定するように構成される。
【００７９】
また、第１確定サブモジュール４１１は、さらに、
ｎ＝２の場合、マットレスの長手方向に最も離れた、且つ圧力センサーの圧力値がゼロでない二つの荷重点を確定し、そのうちの圧力センサーの圧力値が最も大きい荷重点をユーザーの頭部荷重点と確定し、そのうちの圧力センサーの圧力値が最も小さい荷重点をユーザーの足部荷重点と確定し、
ｎ＝３の場合、上記マットレスの長手方向に最も離れた、且つ圧力センサーの圧力値がゼロでない二つの荷重点を確定し、そのうちの圧力センサーの圧力値が最も大きい荷重点をユーザーの頭部荷重点と確定し、そのうちの圧力センサーの圧力値が最も小さい荷重点をユーザーの足部荷重点と確定し、マットレスの長手方向に圧力センサーの圧力値が最も大きい荷重点を臀部荷重点と確定し、
ｎ＝５の場合、マットレスの長手方向に最も離れた、且つ圧力センサーの圧力値がゼロでない二つの荷重点を確定し、そのうちの圧力センサーの圧力値が最も大きい荷重点をユーザーの頭部荷重点と確定し、そのうちの圧力センサーの圧力値が最も小さい荷重点をユーザーの足部荷重点と確定し、マットレスの長手方向に圧力センサーの圧力値が最も大きい荷重点を臀部荷重点と確定し、マットレスの幅方向に最も離れた、且つ圧力センサーの圧力値がゼロでない二つの荷重点を二つの手部荷重点と確定するように、構成される。
【００８０】
また、ｎ＝２、且つｎ個の肝心な荷重点が頭部荷重点と足部荷重点である場合、第２確定サブモジュール４１２は、さらに、
ユーザー端末に予め記憶されたユーザー情報に基づいて、ユーザーの股下比率を確定し、
股下比率、頭部荷重点と足部荷重点の位置に基づいて、臀部荷重点を確定し、
頭部荷重点から上記臀部荷重点までの両側の所定範囲を腕荷重範囲と確定し、
頭部荷重点、腕荷重点、臀部荷重点と足部荷重点をマットレスにおけるユーザーの全ての肝心な荷重点と確定するように構成される。
【００８１】
また、ｎ＝３、且つｎ個の肝心な荷重点が頭部荷重点、足部荷重点と臀部荷重点である場合、第２確定サブモジュール４１２は、さらに、
頭部荷重点から上記臀部荷重点までの両側の所定範囲を腕荷重範囲と確定し、
頭部荷重点、腕荷重点、臀部荷重点と足部荷重点をマットレスにおけるユーザーの全ての肝心な荷重点と確定するように構成される。
【００８２】
また、ｎ＝５、且つｎ個の肝心な荷重点が頭部荷重点、足部荷重点、臀部荷重点と手部荷重点である場合、第２確定サブモジュール４１２は、さらに、
それぞれ二つの手部荷重点から頭部荷重点までの範囲を腕荷重点と確定し、
頭部荷重点、腕荷重点、臀部荷重点と足部荷重点をマットレスにおけるユーザーの全ての肝心な荷重点と確定するように構成される。
【００８３】
また、状態確定モジュール４２０は圧力測定サブモジュール４２１と状態確定サブモジュール４２２を含む。
【００８４】
該圧力測定サブモジュール４２１は各肝心な荷重点にある圧力センサーの圧力値を周期的に測定するように構成される。
【００８５】
該状態確定サブモジュール４２２は各肝心な荷重点にある圧力変化規律を統計し、異なる運動状態と異なる圧力変化規律との対応関係が記憶されている予め決められた対応関係において、圧力変化規律に対応する運動状態を検索するように構成される。
【００８６】
また、情報送信モジュール４３０は第１送信サブモジュール４３１又は第１送信サブモジュール４３２を含む。
【００８７】
該第１送信サブモジュール４３１は運動状態が含まれる運動情報をリアルタイムに生成し、運動情報を運動状態に基づいてユーザーの鍛錬部位を確定するためのユーザー端末にリアルタイムに送信するように構成され、
又は、
該第２送信サブモジュール４３２は運動状態の運動回数を取得し、運動状態と運動回数が含まれる運動情報をリアルタイムに生成し、運動情報を運動回数と一回の運動によるエネルギー消費量に基づいてマットレスにおけるユーザーの総エネルギー消費量を算出するためのユーザー端末にリアルタイムに送信するように構成される。
【００８８】
要するに、本願により提供された運動記録装置は、マットレスにおけるユーザーの肝心な荷重点を確定することと、肝心な荷重点にある圧力センサーの圧力値の変化に基づいて、ユーザーのマットレスにおける運動状態を確定することと、運動状態が含まれる運動情報をユーザー端末にリアルタイムに送信することにより、マットレスにおけるユーザーが行った運動をユーザー端末にリアルタイムに送信することができ、ユーザー端末によってユーザーの運動を記録でき、電子機器が歩行以外の運動記録を提供できないという問題を解決し、ユーザーの運動手段を多様化にさせる効果を達成している。
【００８９】
また、ユーザーの股下比率、頭部荷重点と足部足荷重点の位置に基づいて臀部荷重点を確定し、ユーザー自身の股下比率に基づいて該ユーザーの臀部荷重点の位置を確定することができ、これにより、肝心な荷重点を確定する正確性を向上させる。
【００９０】
また、運動状態が含まれる運動情報をユーザー端末にリアルタイムに送信することにより、ユーザー端末が該運動情報に基づいてユーザーの鍛錬部位をマークし、エネルギー消費量などを算出し、これにより、ユーザーにより全面的な運動記録を提供する。
【００９１】
上記実施例における装置について、各モジュールの操作を実行する具体的な形態は、すでに該方法に関する実施例において詳しく説明されたので、ここで詳細な説明を省略する。
【００９２】
本願の一例示的な実施例は、本願により提供される運動記録方法を実現可能な運動記録装置を提供し、圧力センサーが均一に分布され、ユーザー端末に無線接続されるマットレスに用いられる該運動装置は、
ユーザーの上記マットレスにおける肝心なセンサーユーザーの上記マットレスにおける肝心なセンサーユーザーの上記マットレスにおけるプロセッサと、
プロセッサにより実行可能なコマンドを記憶するためのメモリーとを含み、
上記プロセッサは、
マットレスにおけるユーザーの肝心な荷重点を確定し、
肝心な荷重点にある圧力センサーの圧力値の変化に基づいて、ユーザーの上記マットレスにおける運動状態を確定し、
運動状態が含まれる運動情報をユーザー端末にリアルタイムに送信するように構成された。
【００９３】
当業者であれば、明細書を考慮しここに開示された発明を実践した後、本願のその別の実施態様を容易に想到できる。本願は、本願の如何なる変形、用途又は適応的変化を含むためのものであり、これらの変形、用途又は適応的変化は本願の一般的な原理に準じ、本願の開示されていない当該技術分野における一般的知識又は慣用の技術手段を含む。明細書と実施例は例示的なものに過ぎず、本願の実際の範囲と精神は下記請求項により与えられる。
【００９４】
理解すべきことは、本願は既に上記のように説明され、図面に示された正確な構造に限定されず、その範囲を逸脱しない限りにおいて様々な修正や変更を行うことができる。本願の範囲は添付の請求項のみにより限定される。
【図１】
0006374114.tif 000002
【図２Ａ】
0006374114.tif 000003
【図２Ｂ】
0006374114.tif 000004
【図２Ｃ】
0006374114.tif 000005
【図２Ｄ】
0006374114.tif 000006
【図３】
0006374114.tif 000007
【図４】
0006374114.tif 000008